(57)【特許請求の範囲】
【請求項１】
構成繊維の平均繊維径が２０マイクロメーター以下のメルトブローン製法により得られる不織布を、基布の裏面上に直接紡出散布して積層し、不織布を積層した側からパイル糸のタフティングをおこなうことによって基布の表面にパイルを立設した後、この基布を不織布を配した側から加熱して、不織布の一部に不織布構成繊維の融着層を形成し、この融着層によってパイル糸の根元を固定するとともに、所要の形状に絞り成形してなるタフテッドカーペット成形品。
【発明の詳細な説明】
【０００１】
【産業上の利用分野】
この発明はタフテッドカーペットに関し、また、このカーペットを絞り成形したタフテッドカーペット成形品に関する。
【０００２】
【従来の技術】
従来より、自動車のフロアカーペット等に用いられるタフテッドカーペットの構成は、ジュート等の天然繊維や熱可塑性樹脂繊維を組織した基布、あるいはスパンボンド等不織布の基布に装飾用のパイル糸をタフティングして基布の表面側にパイルを立設形成し、さらに裏面から熱可塑性樹脂の裏打ち材をほどこした構成であった。これを加熱によって裏打ちを軟化させた上で、所要の形状に絞り成形した上で自動車の床等に敷設している。
裏打ち材として従来用いられてきたのは、低密度ポリエチレン樹脂、エチレン酢酸ビニル樹脂等の比較的低融点の熱可塑性樹脂を厚さ数ｍｍのシート状に押し出して積層するものや、アクリル−スチレン樹脂等のエマルジョンをコーティングした後乾燥させ、カーペットの裏面に付着させるものがあった。
この種の裏打ちの目的は、１つにはタフティングしたパイルの根元部分を基布に固着してパイルの基布からの素抜けを防止することにあり、また、この裏打ち材を加熱して可塑化させることにより、カーペットの絞り成形を可能にすることにある。成形後に裏打ち材が再固化すると成形形状が固定する。
従来技術の課題として、以下があった。
▲１▼裏打ちをおこなうための設備（シート押出機、コーティング機）および工程をカーペットの生産ライン内に持ち込む必要があり、工程、設備等が大型化、煩雑化すること。
▲２▼裏打ちの目付量をある程度以上少なくするのが困難であること。シーティングによる裏打ちの場合はシートのやぶれが生じたり、コーティングの場合はムラになったりして、目的とする均一な裏打ちが得られないこと。
▲３▼裏打ち材が硬く、触感や音響的特性が劣ること。
▲４▼裏打ち材の伸び性が乏しいために、カーペットを深い形状や複雑な形状に絞り成形すると、裏打ち材が追随せず亀裂を生じることから成形の自由度をせばめていたこと。
【０００３】
【発明が解決しようとする課題】
本発明は上記課題を解決し、軽量で柔軟な裏打ち材をもったタフテッドカーペットであって、設備、工程を煩雑化せずに得られる構成および成形品を提供する。
【０００４】
【課題を解決するための手段】
課題を解決する本発明の手段は、裏面に熱可塑性樹脂繊維を主体とする不織布を積層した基布の、不織布を積層した側からパイル糸のタフティングをおこなうことによって基布の表面にパイルを立設した後、この基布を不織布を配した側から加熱して、不織布構成繊維の融着層を形成し、この融着層によってパイル糸の根元を固定しているタフテッドカーペットにおいて、熱可塑性樹脂繊維を主体とした不織布が、構成繊維の平均径が２０マイクロメーター以下のメルトブローン製法により得られる不織布であって、基布の裏面上に直接紡出散布して形成されたものであって、このタフテッドカーペットを所要の形状に絞り成形してなるタフテッドカーペット成形品による。
【０００５】
【作用】
本発明では、あらかじめ別工程で得られた熱可塑性樹脂繊維を主体とした不織布を用い、カーペットのタフティングに先だって基布の裏面に一体的に積層形成し、これを加熱して繊維の相互融着層を形成することによって、従来の裏打ち層に代替し、パイルを固定し成形性を付与する作用をなすので、カーペットの生産工程を簡略化できる。
不織布の目付量を調整して、あるいは複数枚の不織布を重ねることによって、細かな目付量の調整が可能であり、均一でより少量の裏打ちも可能である。この作用は特にメルトブローン製法による不織布を用いることによって、より効果的なものになるが、これはメルトブローン不織布に特有の繊維径の細さと見かけ密度の低さに起因しており、特に繊維径は２０マイクロメーター以下が適する。
裏打ち材が柔軟になるとカーペットを深い形状や複雑な形状に絞り成形した場合でも裏打ち材の追随性が良く、破れ等がおこらないので、好ましいカーペット成形品が得られる。
【０００６】
【発明の実施の形態】
以下、本発明の好適な実施の形態を説明する。
図２は本発明によるタフテッドカーペット１０の模式断面図である。
カーペット基布１１の裏面には（メルトブローン）不織布１３が配され、基布の不織布が配された側からパイル糸１６のタフティングをおこなって、基布の表面側にパイル１２が立設されている。さらに加熱によって不織布の裏面側は主に構成繊維が融着一体化された融着層１４に形成される。また、パイル糸の根元もこの融着層により固定されている。
基布として好ましいのは、タフテッドカーペット用として公知の各種の基布であり、スパンボンド法により開繊、集積させ、ニードリングをおこない形成した不織布や、テープヤーンを経糸、緯糸に組織した織布や、短繊維、長繊維を制織、制編して得た編織布等である。
（メルトブローン）不織布としては、素材がポリエチレン、ポリプロピレン、変成ポリエステル樹脂等の融点が低い素材を用い、平均繊維径が２０マイクロメーター以下、より好ましくは１０マイクロメーター以下のものを、目付け量が１００〜５００ｇ／ｍ2 の範囲内になるように複数枚を重ね合わせたものが好ましい。
パイル糸は、耐熱性、耐摩耗性にすぐれたナイロン、ポリエステル等が好ましく、繊維径は３〜３０デニールの単繊維集合体を、公知のタフト機によってタフティングする。タフト密度はゲージが５／６４〜１／３６程度が好ましい。
このタフテッドカーペットの好ましい製造工程について、図１をもとに説明する。
あらかじめ別工程で形成され巻き取られた基布１１をロール１１１より一定の速度で送りだし、送りローラー１１２を介して（メルトブローン）不織布の積層工程（Ａ）に送る。この工程には単数ないし、複数の繊維紡出機１２０が備えられていて、基布の裏面に半溶融状態にある繊維を振りまくことで（メルトブローン）不織布１３を形成するとともに、基布の裏面に付着積層させる。この紡出機の構成は、溶融状態にある熱可塑性樹脂を主ノズル１２１より繊維状に押し出し、これと同時に側方のノズル１２２より加熱空気を吹きつけることによって繊維径を極微にし、嵩密度を低く形成した不織布に形成するものが適している。本発明の不織布はメルトブローン不織布に限定されない通常のスパンボンド不織布なども可能であるが、繊維径は２０マイクロメーター以下が適するので、メルトブローン製法によるものが最適である。
次に裏面に不織布を積層した基布はタフティング工程（Ｂ）に送られパイル糸１６のタフティングを受ける。パイル糸の供給方法として一般的にコーン１３０に巻かれたパイル糸をタフト機のガイド１４１を介してニードル１４０に送り、ニードルの糸通孔内にパイル糸は通される。このニードルは偏心軸１４２に連結されることによって上下運動して基布に対して裏面側からパイル糸を差し込む。この際、基布の裏面の不織布の繊維径と嵩密度が低いほど針の差し込み抵抗が低く好ましい。
基布の表面側に突出されたパイル糸は先端がルーバー１５０によって係止され、ループパイルに立設される。パイルの先端をナイフ１６０でカットするとカットパイルになる。パイル１２が立設されたカーペットは送りロール１１３をへてロール１１４に巻き取られて、あるいは連続的にカーペットの加熱工程（Ｃ）に送られる。
カーペットの加熱工程では、ヒーター１７０によってカーペットは基布の裏面（不織布側）から加熱され、不織布の構成繊維が溶融して融着層１４が形成される。この融着層は構成繊維の全体が溶融して形成されても、（裏面よりの）一部の繊維が溶融して形成されてもよいが、連続した不透水性の層になっていることが好ましい。
成形工程（Ｄ）では、融着層が固化する以前にカーペットを対をなす成形型１８０、１８０’間に配しプレス成形することによって、所要の形状に絞り成形し、融着層を固化させて成形形状を固定してタフテッドカーペット成形品１５を得る。
【０００７】
【実施例】
基布：ポリエステルスパンボンド不織布
パイル糸：ナイロンフィラメント糸
タフティング：ゲージ５／６４、ループ状パイル
裏打ち：
（実施例１）
メルトブローン不織布：変成ポリエステル繊維（融点１３０℃）、平均繊維径６マイクロメーター、目付量３００ｇ／ｍ2 、厚さ１０ｍｍ 見かけ密度０．０３ｇ／ｃｍ3 、熱融着層は裏面側から厚さ８ｍｍまで。
（比較例１）
低密度ポリエチレン樹脂（融点１１５℃）をシート押出機により基布の裏面に積層付与。密度０．９２ｇ／ｃｍ3 、厚さ３．５ｍｍ
（比較例２）
発泡ポリエチレン樹脂をシート押出機により基布の裏面に積層付与。発泡倍率３倍、厚さ１．０ｍｍ
（評価）
表１に実施例、比較例のタフテッドカーペットについての評価項目と、評価結果（◎優れる、○適する、△不適）を表示した。
【表１】
0003659433.tif 000002
加工性については、裏打ちの設備、工程が煩雑でないこと、目付け量の調整が容易であることを評価した。比較例１では熱可塑性樹脂の裏打ち用にシート押出機の導入が必要で設備、工程が煩雑化する。加えて比較例２では裏打ちの目付量、密度等の細かな制御が難しい。
成形性については、実際の自動車フロア相当の深絞り成形をおこなって、裏打ちの柔軟性、カーペットの深絞り成形への追随性を評価した。極細繊維をもとにした実施例の成形性がまさるが、発泡樹脂を用いた比較例２も柔軟性があり、深絞り成形に対応する。完全な固層の裏打ちである比較例１は柔軟性が乏しく、割れや破れがおこる場合もある。
防音性については、図４に示すような装置によって比較評価した。すなわち２つの無響室Ｒ1 、Ｒ2 間にサンプルの取付用の開口Ｏを設けた無響−無響型遮音測定装置により、入力装置よりの各周波数の音波の入力を、それぞれの無響室の集音装置Ｍ1 、Ｍ2 により記録し、両者の差を比較して遮音性を相対評価するものである。図３より、同目付量では実施例が比較例１、比較例２にまさった。これは裏打ちの融着層と基布が間に繊維層をはさんだ２重壁構造をとる効果と思われる。
【発明の効果】
本発明によって加工性、成形性、防音性にすぐれたカーペットの裏打ちが可能である。
熱可塑性樹脂繊維を主体とした不織布の構成を複層化し、各層で相互に異なる繊維組成を有する層に形成することによって、繊維の融着層の形成と、溶融せず繊維の形態を維持した層を混在させることができ、より柔軟性がある裏打ち等の加工も可能である。
【図面の簡単な説明】
【図１】製造工程
【図２】タフテッドカーペット
【図３】防音性の評価グラフ
【図４】防音性の評価装置
【符号の説明】
１０・・・タフテッドカーペット
１１・・・基布
１２・・・パイル
１３・・・不織布
１４・・・融着層
１５・・・タフテッドカーペット成形品
【図１】
0003659433.tif 000003
【図２】
0003659433.tif 000004
【図３】
0003659433.tif 000005
【図４】
0003659433.tif 000006